(57)【特許請求の範囲】
【請求項１】
開閉器から所定の延出方向に沿って延出した操作ハンドルを操作不能に拘束するハンドルロック装置において、
前記開閉器に装着されるロック部材であって前記操作ハンドルが前記延出方向に沿って挿入される凹部を有するロック部材と、
前記ロック部材に保持されるロックピンであって、両端部が前記開閉器に着脱自在かつ回動自在に係合し、中央部の両側から前記両端部に至る一対の支持部を備えた略Ｕ字状の線材からなるロックピンと、を備え、
前記ロックピンは、前記両端部を前記開閉器に係合させた状態で、前記ロック部材に対して前記延出方向に沿って移動自在な退避位置と、前記ロック部材に対する移動を規制される固定位置と、の間に回動自在にされ、
前記ロック部材は、前記固定位置にある前記ロックピンにおける前記支持部のそれぞれの中間部分が前記回動方向に嵌入する溝部を備え、
前記ロック部材は、前記ロックピンが前記固定位置から前記退避位置へ回動する間に前記中央部が通過する第１のスリットと、第１の端部が前記第１のスリットに連続して前記中央部が前記延出方向に通過するとともに第２の端部が前記溝部に連続する第２のスリットと、前記第２の端部に連続する第３のスリットと、を備え、
前記溝部に対する前記中間部分の前記嵌入により、前記開閉器に対する前記ロック部材の装着状態を維持するハンドルロック装置。
【請求項２】
前記ロック部材は、前記溝部に前記中間部分が嵌入した状態の前記支持部が係合する段部を備えた請求項１に記載のハンドルロック装置。
【請求項３】
前記中間部分は、複数の折曲部で構成した請求項１又は２に記載のハンドルロック装置。
【請求項４】
請求項１〜３の何れかに記載のハンドルロック装置と、
ＯＮ位置、ＯＦＦ位置の間で揺動自在な操作ハンドルを有する開閉器と、を含み、
前記開閉器に形成された係合穴に前記ロックピンの両端部を係合させることを特徴とするハンドルロックシステム。
【発明の詳細な説明】
【技術分野】
【０００１】
この発明は、電気的な開閉又は機械的な開閉を行う開閉器から所定の延出方向に沿って延出した操作ハンドルを、操作できない状態に拘束するハンドルロック装置、及びこのハンドルロック装置を含むハンドルロックシステムに関する。
【背景技術】
【０００２】
回路遮断器等の開閉器は、可動接点に連動してＯＦＦ位置とＯＮ位置との間を揺動する操作ハンドルを、所定の延出方向に延出させて備えている。回路遮断器が可動接点を固定接点から離間させて電気回路を遮断した後に、通電状態に復旧する際には、操作ハンドルをＯＦＦ位置からＯＮ位置に揺動させて可動接点を固定接点に接触させる。
【０００３】
回路遮断器の操作ハンドルの操作によって電気回路が遮断状態又は通電状態に変化するため、電気回路が遮断状態又は通電状態にされることを制限する目的で操作ハンドルをＯＮ位置又はＯＦＦ位置で固定するハンドルロック装置が用いられる。ハンドルロック装置は、回路遮断器等の電気的な開閉を行う開閉器のみならず、機械的な開閉を行う開閉器にも、操作ハンドルが所定の延出方向に沿って延出している機器に使用できる。
【０００４】
従来のハンドルロック装置として、操作ハンドルに外嵌して回路遮断器に装着されるロック部材と、回路遮断器とロック部材とに係止されて回路遮断器に対するロック部材の装着状態を維持する略Ｕ字形状のロックピンと、で構成したものがある。
【０００５】
ハンドルロック装置は、作業者が衣服のポケットに入れて持ち運びできる程度の小さなサイズであり、特に、ロック部材とロックピンとを別体に構成すると、ロックピンを紛失し易い。
【０００６】
そこで、ロック部材に形成された摺動溝にロックピンを一端部から中央部まで挿通し、ロックピンをロック部材に移動自在に保持させたものがある。ロックピンは両端部で回路遮断器に回動自在に係止されるとともに、中央部でロック部材の係合溝に係合する（例えば、特許文献１参照。）。
【特許文献１】特開２００５−２６８０１２号公報
【発明の開示】
【発明が解決しようとする課題】
【０００７】
しかしながら、ロックピンの中央部はロック部材の係合溝に一方向にのみ当接するため、経時的な塑性変形によってロックピンの中央部とロック部材の係合溝との当接状態が失われ易く、開閉器に対するロック部材の装着状態を確実に維持することができなくなる問題がある。
【０００８】
この発明の目的は、ロックピンをロック部材に複数の方向に当接させることにより、経時的な塑性変形によってロックピンとロック部材との当接状態が失われないようにし、開閉器に対するロック部材の装着状態を確実に維持することができるハンドルロック装置及びハンドルロックシステムを提供することにある。
【課題を解決するための手段】
【０００９】
この発明のハンドルロック装置は、ロック部材及びロックピンを備えている。ロック部材は、開閉器に装着され、操作ハンドルが延出方向に沿って挿入される凹部を有する。ロックピンは、ロック部材に保持され、両端部が開閉器に着脱自在かつ回動自在に係合し、中央部の両側から両端部に至る一対の支持部を備えた略Ｕ字状の線材からなる。ロックピンは、両端部を開閉器に係合させた状態で、ロック部材に対して操作ハンドルの延出方向に沿って移動自在な退避位置と、ロック部材に対する移動を規制される固定位置と、の間に回動自在にされている。ロック部材は、固定位置にあるロックピンにおける支持部のそれぞれの中間部分が回動方向に嵌入する溝部を備えている。
【００１０】
ロックピンの中間部分に生じた経時的な塑性変形は溝部に対する中間部分の嵌入によって矯正され、開閉器に対するロック部材の装着状態が溝部に対する中間部分の嵌入によって確実に維持される。
【００１１】
ロック部材は、第１〜第３のスリットを備える。第１のスリットは、ロックピンが固定位置から退避位置へ回動する間に中央部が通過する。第２のスリットは、第１の端部が第１のスリットに連続し、中央部が延出方向に通過し、第２の端部が溝部に連続する。第３のスリットは、第２の端部に連続する。開閉器に対するロック部材の着脱時にロックピンをロック部材内で確実に移動させることができる。
【００１２】
また、ロック部材には、溝部に中間部分が嵌入した状態の支持部が係合する段部を備えることが好ましい。開閉器から外されたロック部材にロックピンを固定することができる。
【００１３】
さらに、中間部分は、複数の折曲部で構成することができる。溝部に互いに異なる方向に嵌入する中間部分を備えたロックピンを、線材を用いて容易に形成することができる。
【００１４】
この発明のハンドルロックシステムは、開閉器のハンドルロック装置と、開閉器とを含み、開閉器に形成された係合穴にロックピンの両端部を係合させる。開閉器のハンドルロック装置は、上述の何れかに記載の開閉器のハンドルロック装置である。開閉器は、ＯＮ位置、ＯＦＦ位置の間で揺動自在な操作ハンドルを有する。
【００１５】
この構成においては、ハンドルロック装置のロックピンの両端部が開閉器に形成されている係合穴に係合することで、ロック部材と開閉器とが係止される。
【発明の効果】
【００１６】
この発明のハンドルロック装置によれば、ロックピンをロック部材に複数の方向に当接させることにより、経時的な塑性変形によってロックピンとロック部材との当接状態が失われないようにすることができ、開閉器に対するロック部材の装着状態を確実に維持することができる。
【発明を実施するための最良の形態】
【００１７】
図１は、この発明の実施形態に係るハンドルロック装置の斜視図である。ハンドルロック装置１０は、ロック部材１及びロックピン２で構成され、開閉器である回路遮断器から所定の延出方向に沿って延出した操作ハンドルを一例としてＯＦＦ位置で操作不能に拘束する。
【００１８】
ロック部材１は、一例として、樹脂を素材として形成されている。ロック部材１には、貫通孔１１、挿入孔１２、凹部１３、スリット１４が形成されている。貫通孔１１は、ロック部材１の上部を貫通する。挿入孔１２は、ロック部材１の上面で貫通孔１１の軸方向に直交する方向に開放している。凹部１３は、ロック部材１の下部で底面に開放している。スリット１４は、挿入孔１２から下方に向けて複数回屈曲して形成されている。貫通孔１１は、ロック部材１の上部内でスリット１４に連通している。
【００１９】
ロックピン２は、例えば、バネ線材を複数の位置で折曲して略Ｕ字状に形成されている。ロックピン２は、一方の端部２３から中央部２１までを挿入孔１２に通過させることで、中央部２１をスリット１４内で移動自在にしてロック部材１に保持される。
【００２０】
図２は、ロック部材１の側面図である。ロック部材１は、側面視が略三角形を呈する基部１Ａ、側面視が略矩形を呈する上部１Ｂ、側面視が略平行四辺形を呈する下部１Ｃで構成されている。
【００２１】
スリット１４は、上部１Ｂに形成されており、この発明の第１のスリットである第１円弧部１４Ａ、同第２のスリットである直線部１４Ｂ、同第３のスリットである第２円弧部１４Ｃを上方から下方に順に連結して構成されている。即ち、直線部１４Ｂは、この発明の第１の端部である上端部で第１円弧部１４Ａに連結されており、この発明の第２の端部である下端部で第２円弧部１４Ｃに連結されている。
【００２２】
第１円弧部１４Ａは、連通孔１７で挿入孔１２に連通している。連通孔１７は、側面視において、上部の挿入孔１２側の開口幅をロックピン２の外径よりも僅かに大きく、下部の第１円弧部１４Ａ側の開口幅をロックピン２の外径よりも僅かに狭くされている。
【００２３】
ロック部材１の側面には、第２円弧部１４Ｃの上端側に連続する溝部１５が形成されている。側面視における溝部１５の幅は、ロックピン２の外径に略等しくされている。側面視におけるスリット１４の幅は、ロックピン２の外径よりも僅かに大きくされている。また、第１円弧部１４Ａにおける連通孔１７の下方の位置する一端部の幅は、他の部分よりも広くされている。スリット１４は、ロック部材１の両側面を貫通して形成されている。溝部１５は、ロック部材１の両側面から内部に所定の深さで形成されており、ロック部材１の両側面を貫通していない。
【００２４】
凹部１３は、基部１Ａと下部１Ｃとの間に形成されている。凹部１３には、ロック部材１の底面側から回路遮断器の操作ハンドルが矢印Ｘ方向に沿って挿入される。矢印Ｘ方向は、回路遮断器からの操作ハンドルの延出方向に平行である。また、直線部１４Ｂは、矢印Ｘ方向に平行に形成されている。
【００２５】
図３は、ロックピンの斜視図である。ロックピン２は、中央部２１、支持部２２、端部２３により、中央部２１を挟んで対称形状に形成されている。
【００２６】
支持部２２は、中央部２１の両端から端部２３まで連続している。支持部２２の中間部分２２Ａは、一例として折曲部２４Ａ〜２４Ｃで折り曲げられて、中央部２１に平行な嵌入部２５Ａと中央部２１に直交する圧接部２５Ｂとを備える。
【００２７】
端部２３は、支持部２２の下端部に連続して、中央部２１と平行に形成されている。
【００２８】
ロックピン２をロック部材１保持させる際には、一方の端部２３から中央部２１までをロック部材１の挿入部１２内に挿入した後、中央部２１を連通孔１７に下方に通過させて第１円弧部１４Ａ内に導く。連通孔１７の上部の幅はロックピン２の外径よりも僅かに広いため、中央部２１を連通孔１７内に容易に導くことができる。
【００２９】
中央部２１が連通孔１７を通過する時には、連通孔１７の下部の幅は弾性変形によってロックピン２の外径に略等しくなるまで拡がる。中央部２１が第１円弧部１４Ａ内に達すると、連通孔１７の下部の幅は弾性力によってロックピン２の外径よりも僅かに狭い幅に復元する。これにより、中央部２１が第１円弧部１４Ａから挿入孔１２に向かって連通孔１７を通過することが困難になる。ロックピン２は、中央部２１が第１円弧部１４Ａ、直線部１４Ｂ及び第２円弧部１４Ｃ内を自由に移動できる状態でロック部材１内に保持される。
【００３０】
２つの支持部２２の間隔は、中央部２１側でロック部材１の上部１Ｂ及び下部１Ｃの厚みよりも僅かに広く、ロック部材１の基部１Ａの厚みよりも十分に広く、段部１６でのロック部材１の厚みよりも狭くされている。また、２つの支持部２２の間隔は、端部２３側でロック部材１の上部１Ｂ及び下部１Ｃの厚みよりも十分に狭く、ロック部材１の基部１Ａの厚みよりも僅かに広くされている。さらに、２つの支持部２２の間隔は、圧接部２５Ｂの位置でロック部材１の溝部１５における厚さに等しくされている。
【００３１】
図４（Ａ）〜（Ｃ）は、ロック部材とロックピンとの位置関係を示す側面図である。図４（Ａ）に示すように、ロックピン２の中央部２１が第２円弧部１４Ｃの下端側に位置している場合、ロックピン２の支持部２２の中央部２１側は、ロック部材１の基部１Ａに対向する。中央部２１側での２つの支持部２２の間隔はロック部材１の基部１Ａの厚みよりも十分に広くされているため、２つの支持部２２を両側面から押圧することでロックピン２を弾性変形させて２つの端部２３の間隔を狭くすることができる。
【００３２】
間隔を狭めた状態の２つの端部２３（両端部）を回路遮断器の２個の穴部（この発明の係合穴）のそれぞれに対向させた後、支持部２２に対する押圧力を解除すると、ロックピン２の弾性力によって２つの端部２３が２個の穴部のそれぞれに嵌入する。これによって、ロックピン２が、回路遮断器に両端部で着脱自在かつ回動自在にして弾性的に係合する。
【００３３】
この状態でも、２つの支持部２２を両側面から押圧して端部２３を回路遮断器の穴部から抜き出すことで、回路遮断器に対するロックピン２の係合状態を解除することができる。
【００３４】
図４（Ａ）に示す状態から、ロック部材１を矢印Ｘ方向に沿って下方に移動させると、凹部１３内に回路遮断器の操作ハンドルが進入する。回路遮断器の操作ハンドルが凹部１３内に完全に挿入された時に、ロック部材１とロックピン２との位置関係は図４（Ｂ）に示す状態になり、ハンドルロック装置を回路遮断器に装着することができる。
【００３５】
図４（Ｂ）に示すように、ロックピン２の中央部２１が第１円弧部１４Ａの下端側に位置している場合、中央部２１は第１円弧部１４Ａ、直線部１４Ｂ、第２円弧部１４Ｃ内を自由に移動できる。したがって、ロックピン２の端部２３が回路遮断器に係合している状態でも、ロック部材１を図４（Ｂ）に示す位置から矢印Ｘ方向に沿って図４（Ａ）に示す位置まで上方に移動させ、ハンドルロック装置を回路遮断器から取り外すことができる。端部２３を回路遮断器の穴部に係合させた状態の図４（Ｂ）に示すロックピン２の位置が、この発明の退避位置である。
【００３６】
ロックピン２を図４（Ｂ）に示す退避位置から端部２３を支点に矢印Ｙ方向に回転させると、中央部２１が第１円弧部１４Ａ内を上端側に向かって移動するとともに、嵌入部２５Ａ及び圧接部２５Ｂが溝部１５内に向かって移動する。
【００３７】
図４（Ｃ）に示すように、中央部２１が第１円弧部１４Ａの上端に達すると、嵌入部２５Ａ及び圧接部２５Ｂが溝部１５内に嵌入する。端部２３を回路遮断器の穴部に係合させた状態の図４（Ｃ）に示すロックピン２の位置が、この発明の固定位置である。
【００３８】
したがって、この発明の第１のスリットである第１円弧部１４Ａには、ロックピン２が固定位置から退避位置へ回動する間に中央部２１が通過する。この発明の第２のスリットである直線部１４Ｂには、中央部２１が延出方向に通過する。
【００３９】
側面視における溝部１５の幅はロックピン２の外径に略等しくされているため、ロックピン２が図４（Ｃ）に示す固定位置にある状態で、嵌入部２５Ａが溝部１５の上下面に当接し、ロック部材１に対するロックピン２の矢印Ｘ方向の変位が規制される。
【００４０】
また、圧接部２５Ｂの位置で２つの支持部２２の間隔が溝部１５におけるロック部材１の厚さに等しくされているため、２つの圧接部２５Ｂが溝部１５にロック部材１の厚さ方向に当接し、嵌入部２５Ａが溝部１５からロック部材１の厚さ方向に抜けることがない。また、固定位置から退避位置に向かうロックピン２の回転も抑制される。
【００４１】
さらに、２つの支持部２２の間隔が段部１６でのロック部材１の厚みよりも狭くされているため、支持部２２が段部１６に弾性的に係合し、固定位置から退避位置に向かうロックピン２の回転がより確実に規制される。
【００４２】
これらによって、ロックピン２が固定位置にある状態では、回路遮断器に対するハンドルロック装置１０の装着状態が維持される。
【００４３】
但し、第１円弧部１４Ａは、ロックピン２の外径に比較して幅を広くされており、上端部ではさらに広くされているため、中央部２１は第１円弧部１４Ａの内側面に接触せず、中央部２１は回路遮断器に対するハンドルロック装置１０の装着状態の維持に全く関与していない。
【００４４】
なお、溝部１５の幅とロックピン２の外径、及び溝部１５でのロック部材１の厚さと圧接部２５Ｂでの２つの支持部２２の間隔を適当に設定することにより、溝部１５への嵌入部２５Ａ及び圧接部２５Ｂの嵌入のみによってロックピン２を固定位置に保持できる。この場合には、段部１６を省略できる。
【００４５】
ロックピン２を固定位置に保持できるようにすることで、回路遮断器に装着されていない状態のハンドルロック装置１０において、ロック部材１とロックピン２との一体性を維持でき、ハンドルロック装置１０の携帯性を向上できる。このためには、ロック部材１に段部１６を備えることが有効である。
【００４６】
図５（Ａ）及び（Ｂ）は、上記のハンドルロック装置を使用したハンドルロックシステムの斜視図である。図５（Ａ）は、ハンドルロック装置１０を単極の回路遮断器１００に使用したハンドルロックシステムを示している。図５（Ｂ）は、ハンドルロック装置１０を２極の回路遮断器２００に使用したハンドルロックシステムを示している。
【００４７】
ロックピン２を端部２３（図５には表れない。）で回路遮断器１００，２００に回転自在かつ着脱自在に弾性的に係合させた後、ロック部材１の凹部１３に操作ハンドル１１０，２１０を挿入し、ロックピン２を退避位置から固定位置に回転させる。この後、ロック部材１の貫通孔１１にフック３０１を貫通させて南京錠３００を施錠する。
【００４８】
フック３０１がスリット１４を通過することで、ロックピン２を退避位置に回動させることができなくなり、ロック部材１を回路遮断器１００，２００から離間させることができない。これによって、南京錠３００が解錠されるまで、ロック部材１の凹部１３に対する操作ハンドル１１０，２１０の挿入状態が維持され、操作ハンドル１１０，２１０の操作を規制できる。
【００４９】
ロックピン２の２つの端部２３が係合する２個の穴部の形状及び間隔は、回路遮断器１００と回路遮断器２００とで互いに等しくされている。このため、回路遮断器１００と回路遮断器２００とに対して、同一のハンドルロック装置１０を使用することができる。
【００５０】
なお、回路遮断器１００，２００と同一形状のワンハンドタイプの操作ハンドルを備えた３極以上の回路遮断器も、２個の穴部の形状及び間隔が同一であるため、ハンドルロック装置１０を回路遮断器１００，２００と同様に使用することができる。
【００５１】
また、ハンドルロック装置１０は、所定の延出方向に沿って延出した操作ハンドルを備えていることを条件に、回路遮断器１００，２００に限らず、電気的、機械的な開閉を行う開閉器に使用することができる。
【００５２】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００５３】
【図１】この発明の実施形態に係るハンドルロック装置の斜視図である。
【図２】同ハンドルロック装置に備えられるロック部材の側面図である。
【図３】同ハンドルロック装置に備えられるロックピンの斜視図である。
【図４】（Ａ）〜（Ｃ）は、ロック部材とロックピンとの位置関係を示す側面図である。
【図５】（Ａ）及び（Ｂ）は、上記のハンドルロック装置を使用したハンドルロックシステムの斜視図である。
【符号の説明】
【００５４】
１−ロック部材
２−ロックピン
１０−ハンドルロック装置
１３−凹部
１４−スリット
１５−溝部
２１−中央部
２２−支持部
２３−端部
２２Ａ−中間位置
１００，２００−回路遮断器
１１０，２１０−操作ハンドル
【図１】
0005162336.tif 000002
【図２】
0005162336.tif 000003
【図３】
0005162336.tif 000004
【図４】
0005162336.tif 000005
【図５】
0005162336.tif 000006